(57)【要約】【課題】置き畳の種類や帖数などに迅速且つ簡便に対応して枠組みすることのできる縁枠製品の提供。【解決手段】ボードや合成樹脂或いは木材などを使用したコーナー部材、及び同質材による帯状のストレート部材とからなり、上記コーナー部材とストレート部材の各下面に於ける中央付近にはガイド溝を穿設すると共に、上記コーナー部材とストレート部材のガイド溝箇所へ、キー部材を跨設状態に嵌入させることにより一体化させ、適宜大きさ寸法の四角形枠を形成させるものとなす。このさい、コーナー部材及びストレート部材は、夫々れ肉厚寸法を凡そ１０ｍｍ〜３０ｍｍ、巾寸法を凡そ３ｃｍ〜５ｃｍでコーナー部材の長さ寸法は凡そ３ｃｍ〜１５ｃｍ、ストレート部材の長さ寸法は凡そ８０ｃｍ〜１７０ｃｍとなし、且つコーナー部材及びストレート部材の各面に於けるガイド溝は、溝巾を凡そ１０ｍｍ〜２５ｍｍ、溝深さを凡そ５ｍｍ〜１５ｍｍとなされる。【選択図】      図１
2004332407.tif 000002
【特許請求の範囲】
【請求項１】
ボードや合成樹脂或いは木材などを使用したコーナー部材、及び同質材による帯状のストレート部材とからなり、上記コーナー部材とストレート部材の各下面に於ける中央付近にはガイド溝を穿設すると共に、上記コーナー部材とストレート部材のガイド溝箇所へ、キー部材を跨設状態に嵌入させることにより一体化させ、適宜大きさ寸法の四角形枠を形成させるものとなしたことを特徴とする置き畳用木枠。
【請求項２】
コーナー部材及びストレート部材は、夫々れ肉厚寸法を凡そ１０ｍｍ〜３０ｍｍ、巾寸法を凡そ３ｃｍ〜５ｃｍでコーナー部材の長さ寸法は凡そ３ｃｍ〜１５ｃｍ、ストレート部材の長さ寸法は凡そ８０ｃｍ〜１７０ｃｍとなし、且つコーナー部材及びストレート部材の各面に於けるガイド溝は、溝巾を凡そ１０ｍｍ〜２５ｍｍ、溝深さを凡そ５ｍｍ〜１５ｍｍとなしたことを特徴とする請求項１記載の置き畳用木枠。
【請求項３】
コーナー部材とストレート部材の各ガイド溝箇所で、キー部材を跨設状態に嵌入させた外面部に対し接着テープを貼着させたことを特徴とする請求項１又は２記載の置き畳用木枠。
【請求項４】
ボードや合成樹脂或いは木材などを使用したコーナー部材、及び同質材による帯状のストレート部材とからなり、上記コーナー部材とストレート部材の各下面に於ける中央付近にはガイド溝を穿設すると共に、上記コーナー部材とストレート部材のガイド溝へ嵌合させるための同質材によるキー部材を作成し、ストレート部材とキー部材をその長さ方向で適宜切断することにより、適宜大きさ寸法の四角形枠を形成させることを特徴とする置き畳用木枠の組立方法。
【発明の詳細な説明】
【０００１】
【発明の属する技術分野】
本発明は専ら床板上の適当箇所へ、和式感覚に使用する置き畳を取囲むための置き畳用木枠（縁枠）及び該木枠（縁枠）の組立方法に関する。
【０００２】
【従来の技術】
図６は従来品の実施状態を示すものであって、二帖、三帖、四帖、五帖、六帖などに応じ、相当長さ寸法の木片材１０，１０，・・・を縦・横方向に用意し、これで置き畳を取り囲んだのち、その隅角部Ｐの対合部をネジ釘などの使用で止着させたものとなすのである。図面では折畳み二帖用のものを示している。
【０００３】
【非特許文献】
極東産業株式会社  カタログ「ニュー畳ライフ」
【０００４】
【発明が解決しようとする課題】
上記の如く従来の木枠は置き畳み用としての畳帖数に合わせたものを夫々れに用意する必要があり、畳帖数の組合せに応じて多種類のものを作成用意しておく必要がある。ところで、近年では昔の帖寸法に拘らない規格外の寸法のものもあって、これらに対する木枠（縁枠）の作成は特注品となることから手間が掛かり且つ高価とならざるを得ないものとなっている。
本発明は斯有る問題点を解決せんとするものである。
【０００５】
【課題を解決するための手段】
本発明の置き畳用枠は、ボードや合成樹脂或いは木材などを使用したコーナー部材、及び同質材による帯状のストレート部材とからなり、上記コーナー部材とストレート部材の各下面に於ける中央付近にはガイド溝を穿設すると共に、上記コーナー部材とストレート部材のガイド溝箇所へ、キー部材を跨設状態に嵌入させることにより一体化させ、適宜大きさ寸法の四角形枠を形成させるものとする。このさい、コーナー部材及びストレート部材は、夫々れ肉厚寸法を凡そ１０ｍｍ〜３０ｍｍ、巾寸法を凡そ３ｃｍ〜５ｃｍでコーナー部材の長さ寸法は凡そ３ｃｍ〜１５ｃｍ、ストレート部材の長さ寸法は凡そ８０ｃｍ〜１８０ｃｍとなし、且つコーナー部材及びストレート部材の各面に於けるガイド溝は、溝巾を凡そ１０ｍｍ〜２５ｍｍ、溝深さを凡そ５ｍｍ〜１５ｍｍとなすのである。
【０００６】
而して、上記に於ける各部材の一体化については、コーナー部材とストレート部材の各ガイド溝箇所で、キー部材を跨設状態に嵌入させた外面部に対し接着テープを貼着させて行うのである。
【０００７】
ところで、本発明では帖数に応じた適宜長さ寸法のものを、予め多種類に用意するのではなく、長尺となされたストレート部材とキー部材を必要に応じて適宜切断することにより、必要大きさ寸法の木枠に組立てることができるものとなるのであり、ストレート部材はその取扱い上の点から１８０ｃｍ程度のものとする。なお、キー部材はコーナー部材やストレート部材のガイド溝の全面へ嵌入させる必要はないのであり、即ちコーナー部材とストレート部材の対合面を挟む一定長さ範囲を跨ぐ状態に嵌入されれば良いのであり、これは１０ｃｍ〜３０ｃｍの長さ範囲で良いことから、通常取扱い易い３０ｃｍ程度のものを標準にするが、ストレート部材同様に長いものであっても良い。
【０００８】
【発明の実施の形態】
図１は本発明に係る置き畳用木枠を構成する部品斜視図であって、１はコーナー部材、２はストレート部材、３はキー部材である。
ここに、上記各部材１，２，３は硬質ボード、合成樹脂や木材から製造されるのであり、夫々れの構成は次の通りである。
【０００９】
コーナー部材１は直交する枝片１ａ，１ａを有するＬ字体をなし、その肉厚寸法ｔは凡そ１０ｍｍ〜３０ｍｍ、巾寸法ｓは凡そ３ｃｍ〜５ｃｍであり、また外側の長さ寸法ｍは凡そ１０ｃｍ〜１５ｃｍ、内側の長さ寸法ｎは凡そ６ｃｍ〜１０ｃｍである。
而して、上記コーナー部材１の下面は、その枝片１ａ，１ａの何れにも凡そ中央付近へ巾寸法ｅを凡そ１０ｍｍから２５ｍｍ、深さｆを凡そ５ｍｍ〜１５ｍｍとなしたガイド溝１ｂを穿設したものとなしてある。
【００１０】
ストレート部材２は肉厚寸法ｔを凡そ１０ｍｍ〜３０ｍｍ、巾寸法ｓは３ｃｍ〜５ｃｍであり、且つ全体の長さ寸法ｋは短いもので凡そ８０ｃｍ、長いもので凡そ１８０ｃｍとなされる。
而して、上記コーナー部材と同様にその下面に於ける凡そ中央付近には、巾寸法ｅを凡そ１０ｍｍ〜２５ｍｍ、深さ寸法ｆを凡そ５ｍｍ〜１５ｍｍとなしたガイド溝２ｂが穿設してある。
【００１１】
３は上記コーナー部材１及びストレート部材２に於けるガイド溝１ｂ及び２ｂに嵌合させるためのキー部材であって、その寸法は上記ガイド１ｂ，２ｂの巾寸法ｅと深さ寸法ｆと同等若しくは少し小となる断面積で、且つその長さ寸法Ｒは任意にできるが、取扱い易い寸法として３０ｃｍ〜１８０ｃｍとなされる。
【００１２】
図２は上記したコーナー部材１、ストレート部材２、及びキー部材３を使用して折り畳み二帖の置き畳４の周囲を囲んだ木枠５を形成した実施態様の平面図であり、図３はその反転した底面図である。
本図から明らかな通り、コーナー部材１は折り畳み４の四隅に位置させ、各コーナー部材１，１間をストレート部材２で対合一致するように組立てるのであり、対合面ｇは各裏面側箇所のガイド溝１ｂ，２ｂ間を一定長さ範囲（凡そ１０ｃｍ〜３０ｃｍ）で跨ぐように、キー部材３を嵌合止着させるのであり（図３のイ参照）、あと該部分に対し接着テープ６を貼着させるようになすのである。（図３のロ、ハ参照）
【００１３】
上記図面ではキー部材３をコーナー部材１とストレート部材２の接合箇所のガイド溝１ｂ，２ｂ内へ部分的に嵌入止着させるものについて示したが、ガイド溝１ｂ，２ｂの全面に長尺のものを連通状態に嵌入させるものとなしても良い。
【００１４】
本発明に於ける上記コーナー部材及びストレート部材は、その設定した肉厚寸法や巾寸法内で使用者の要求により任意に設計するのであるが、一般的な畳みや薄畳み用として複数種類のものを予め選定し、規格品として用意するものとなすのである。又、そのストレート部材の断面形状も図４のＡ，Ｂ，Ｃに示す如き各種形状のものとなすことができる。なお、言うまでもないことであるが、枠組みにさいしては各部材は同一規格（寸法）のものを使用して行うのである。
【００１５】
上記実施例ではコーナー部材１をＬ字体となしたものを示したが、簡便な使用態様として図５の如き方形１’のものとなしたものを使用することができ、本発明実施の範囲内とする。本図でＡは平面斜視図、Ｂは反転斜視図である。
【００１６】
【発明の効果】
本発明では以上の通り構成するものであって、床面上に対して適宜な帖数の置き畳みを敷き、且つ外周を簡便迅速且つ適確に取り囲む枠体を組み立てて美観を呈するものとなすことができるものである。とりわけ、本発明では使用者側で好みの帖数やその敷き状態にマッチする如く、自由にストレート部材やキー部材などを適宜切断しながら確実に組立てることができる点で大変優れるのである。また、その木枠の取り外しはコーナー部材とストレート部材の対合箇所で、反対面に貼着させた接着テープを取り外すと共に、ガイド溝からキー部材を取り除くだけの簡便な操作で行うことのできるものとなる。
なお、従来の薄置用としては肉厚寸法を１７ｍｍまでが限度であったが、本発明品では１０ｍｍ前後のものまでを可能にすることができた。このさい、ガイド溝の溝深さは浅いものとなるが、その溝巾寸法を比較的大ならしめて補強効果が損なわれないようにするのである。
【図面の簡単な説明】
【図１】本発明に係る置き畳用木枠の部分斜視図である。
【図２】組立て平面図である。
【図３】図２の底面図である。
【図４】コーナー部材やストレート部材の形状例を示す断面図である。
【図５】コーナー部材の他の例を示すものであって、Ａは平面斜視図、Ｂは反転斜視図である。
【図６】従来品を示すものである。
【符号の説明】
１      コーナー部材
１ｂ    ガイド溝
２      ストレート部材
２ｂ    ガイド溝
３      キー部材
４      置き畳み
５      木枠
６      接着テープ
【図１】
2004332407.tif 000003
【図２】
2004332407.tif 000004
【図３】
2004332407.tif 000005
【図４】
2004332407.tif 000006
【図５】
2004332407.tif 000007
【図６】
2004332407.tif 000008